(57)【要約】【課題】電気炉設備の排ガスから回収した廃熱を用いて集塵ファンを効率良く運転すること。【解決手段】間歇運転を行う電気炉設備１０における廃熱利用の集塵ファン運転システム３０は、集塵ファン２７を回転させる電動機としての機能と、集塵ファン２７の回転により発電する発電機の機能を有する誘導発電電動機３３と、誘導発電電動機３３に交流電力を供給する電源部３５と、誘導発電電動機３３に給電される交流電力の周波数制御を行う回生機能付インバータ３４と、集塵ファン２７を回転させる蒸気タービン３１とを有し、誘導発電電動機３３により集塵ファン２７を起動し、蒸気タービン３１を駆動させて集塵ファン２７を回転させながら蒸気タービン３１の負荷を上昇させるとともに、誘導発電電動機３３の負荷を低下させ、誘導発電電動機３３に逆トルクが作用した時点で、誘導発電電動機３３を発電機として機能させる。【選択図】図２
2012127550.tif 000002
【特許請求の範囲】
【請求項１】
間歇運転を行う電気炉設備において廃熱を利用して、電気炉設備に設けられた集塵ファンを運転する、電気炉設備における集塵ファン運転システムであって、
前記集塵ファンを回転させる電動機としての機能と、集塵ファンの回転により発電する発電機の機能を有する誘導発電電動機と、
前記誘導発電電動機に交流電力を供給する電源部と、
前記誘導発電電動機に給電される交流電力の周波数制御を行うとともに発電電力を前記電源部に供給する回生機能付インバータと、
電気炉設備において廃熱を回収して得られた飽和蒸気により駆動され、前記集塵ファンを回転させる蒸気タービンと
を有し、
最初に前記回生機能付インバータを介して前記誘導発電電動機に所定周波数の交流電力を供給して前記集塵ファンを起動し、前記飽和蒸気により前記蒸気タービンを駆動させて前記集塵ファンを回転させながら前記蒸気タービンの負荷を上昇させるとともに、前記誘導発電電動機の負荷を低下させ、前記誘導発電電動機に逆トルクが作用した時点で、前記回生機能付インバータにより電源周波数を低下させて前記誘導発電電動機を発電機として機能させ、発電した電力を前記回生機能付インバータの回生機能により電源に供給することを特徴とする、電気炉設備における集塵ファン運転システム。
【請求項２】
前記蒸気タービンと前記集塵ファンとの間に設けられ、前記蒸気タービンの回転数が前記集塵ファンの回転数より高くなった時点で、前記集塵ファンと前記蒸気タービンとを繋ぐワンウェイクラッチをさらに有し、前記ワンウェイクラッチを介して、前記誘導発電電動機と前記集塵ファンと前記蒸気タービンとが一軸で接続されることを特徴とする、請求項１に記載の電気炉設備における集塵ファン運転システム。
【請求項３】
前記電気炉設備から発生する飽和蒸気を一時的に貯留する蒸気アキュムレータをさらに有することを特徴とする、請求項１または請求項２に記載の電気炉設備における集塵ファン運転システム。
【請求項４】
間歇運転を行う電気炉設備において廃熱を利用して、電気炉設備に設けられた集塵ファンを運転する、電気炉設備における集塵ファン運転方法であって、
最初に交流電力の周波数制御を行う回生機能付インバータを介して誘導発電電動機に所定周波数の交流電力を供給して集塵ファンを起動し、廃熱を回収して得られた飽和蒸気により前記集塵ファンを回転させる蒸気タービンを駆動させて、前記集塵ファンを回転させながら前記蒸気タービンの負荷を上昇させるとともに、前記誘導発電電動機の負荷を低下させ、前記誘導発電電動機に逆トルクが作用した時点で、前記回生機能付インバータにより電源周波数を低下させて前記誘導発電電動機を発電機として機能させ、発電した電力を前記回生機能付インバータの回生機能により電源に供給することを特徴とする、電気炉設備における集塵ファン運転方法。
【請求項５】
前記蒸気タービンの負荷を上昇させて、前記蒸気タービンの回転数が前記集塵ファンの回転数より高くなった時点で、前記集塵ファンと前記蒸気タービンとをワンウェイクラッチで繋ぎ、前記ワンウェイクラッチを介して、前記誘導発電電動機と前記集塵ファンと前記蒸気タービンとを一軸で接続することを特徴とする、請求項４に記載の電気炉設備における集塵ファン運転方法。
【請求項６】
前記飽和蒸気は、一時的に蒸気アキュムレータに貯留された後に、前記蒸気タービンに供給されることを特徴とする、請求項４または請求項５に記載の電気炉設備における集塵ファン運転方法。
【発明の詳細な説明】
【技術分野】
【０００１】
本発明は、間歇運転を行う電気炉設備において回収された廃熱を利用して、電気炉設備に設けられた集塵ファンを運転する運転システムおよび運転方法に関する。
【背景技術】
【０００２】
製鋼用アーク炉（冶金炉）のような間歇運転を行う電気炉は、炉口から発生する排ガスが膨大な顕熱を有しているにもかかわらず、炉口での燃焼熱を含めて十分に利用されているとは言えない状況である。その主な理由としては、間歇運転による回収熱量の不安定さが上げられる。
【０００３】
このような排ガスの顕熱を回収する技術として、電気炉出口煙道中に廃熱ボイラーを設け、排ガス顕熱および燃焼熱を飽和蒸気として回収する技術が知られている（特許文献１）。このような廃熱ボイラーにより排ガスの顕熱を回収する場合には、間歇運転に伴って間歇に発生する蒸気を、蒸気アキュムレータを介することにより平準化することで、間歇運転による不連続性を解消することができる。
【０００４】
上記の平準化された飽和蒸気の利用法として発電設備（蒸気タービン＋発電機）を設け、発電する方法も考えられるが、飽和蒸気発電設備は設備費に比べて発電量が低く、経済的でない。そこで、効率を上げるために、電気炉の廃熱を飽和蒸気として回収した後、過熱蒸気にすることが提案されている（特許文献２）。しかし、他の熱源が必要である点、設備構成が複雑で設備費も増大する点等、実現性に問題が多い。
【０００５】
一方、電気炉では炉口より発生する排ガスを吸引するために大型の集塵ファンを使用しており、その消費動力は、設備全体の消費動力の大半を占めている。このため、電気炉設備の排ガスから回収された廃熱をこの集塵ファンの駆動に使用することが考えられる。
【先行技術文献】
【特許文献】
【０００６】
【特許文献１】特開平８−２７７４１２号公報
【特許文献２】特開２００２−２８６２０９号公報
【発明の概要】
【発明が解決しようとする課題】
【０００７】
しかしながら、回収した廃熱を用いて集塵ファンを効率良く運転する技術は未だ提案されていない。
【０００８】
本発明はかかる事情に鑑みてなされたものであって、電気炉設備の排ガスから回収した廃熱を用いて集塵ファンを効率良く運転することを課題とする。
【課題を解決するための手段】
【０００９】
上記課題を解決するため、本発明は、間歇運転を行う電気炉設備において廃熱を利用して、電気炉設備に設けられた集塵ファンを運転する、電気炉設備における集塵ファン運転システムであって、前記集塵ファンを回転させる電動機としての機能と、集塵ファンの回転により発電する発電機の機能を有する誘導発電電動機と、前記誘導発電電動機に交流電力を供給する電源部と、前記誘導発電電動機に給電される交流電力の周波数制御を行うとともに発電電力を前記電源部に供給する回生機能付インバータと、電気炉設備において廃熱を回収して得られた飽和蒸気により駆動され、前記集塵ファンを回転させる蒸気タービンとを有し、最初に前記回生機能付インバータを介して前記誘導発電電動機に所定周波数の交流電力を供給して前記集塵ファンを起動し、前記飽和蒸気により前記蒸気タービンを駆動させて前記集塵ファンを回転させながら前記蒸気タービンの負荷を上昇させるとともに、前記誘導発電電動機の負荷を低下させ、前記誘導発電電動機に逆トルクが作用した時点で、前記回生機能付インバータにより電源周波数を低下させて前記誘導発電電動機を発電機として機能させ、発電した電力を前記回生機能付インバータの回生機能により電源に供給することを特徴とする、電気炉設備における集塵ファン運転システムを提供する。
【００１０】
また、本発明は、間歇運転を行う電気炉設備において廃熱を利用して、電気炉設備に設けられた集塵ファンを運転する、電気炉設備における集塵ファン運転方法であって、最初に交流電力の周波数制御を行う回生機能付インバータを介して誘導発電電動機に所定周波数の交流電力を供給して集塵ファンを起動し、廃熱を回収して得られた飽和蒸気により前記集塵ファンを回転させる蒸気タービンを駆動させて、前記集塵ファンを回転させながら前記蒸気タービンの負荷を上昇させるとともに、前記誘導発電電動機の負荷を低下させ、前記誘導発電電動機に逆トルクが作用した時点で、前記回生機能付インバータにより電源周波数を低下させて前記誘導発電電動機を発電機として機能させ、発電した電力を前記回生機能付インバータの回生機能により電源に供給することを特徴とする、電気炉設備における集塵ファン運転方法を提供する。
【００１１】
本発明において、前記蒸気タービンと前記集塵ファンとの間にワンウェイクラッチを設け、前記蒸気タービンの回転数が前記集塵ファンの回転数より高くなった時点で、前記ワンウェイクラッチにより前記集塵ファンと前記蒸気タービンとを繋ぎ、前記ワンウェイクラッチを介して、前記誘導発電電動機と前記集塵ファンと前記蒸気タービンとが一軸で接続されることが好ましい。また、前記電気炉設備から発生する飽和蒸気を一時的に貯留する蒸気アキュムレータをさらに有することが好ましい。
【発明の効果】
【００１２】
本発明によれば、誘導発電電動機を電動機として機能させて起動した集塵ファンを、廃熱を回収して得られた飽和蒸気により蒸気タービンを起動後、蒸気タービン駆動に切替え、蒸気タービンの負荷を増加させて集塵ファンの負荷を超えた時点で、誘導発電電動機を発電機として機能させて発電し、回生機能付インバータの回生機能を利用して発電して得られた電力を電源部側に送電する。これにより、従来、電動機のみでまかなっていた集塵ファンを駆動するための負荷を、蒸気タービンを用いることにより廃熱を回収して得られた飽和蒸気によってまかなうことができ、しかも、蒸気タービンによる余剰のエネルギーを発電電力として有効利用することができる。すなわち、集塵ファンの駆動に必要な電動機による負荷分と発電機による発電電力分の合計のメリットが得られる。
【００１３】
また、設備上も集塵ファン駆動用の誘導発電電動機は発電機を兼ねるので新たに発電機を設ける必要がなく、その分コスト低減を図ることができる。既存設備に適用する場合は、新設する必要があるのは、蒸気タービン、ワンウェイクラッチおよび回生機能付インバータのみであり、その点からも経済的により優位となる。また、新規設備に適用する場合は、近年集塵ファンの駆動方法としてインバータ駆動が主流となっているため、本来電気炉設備に備わった機器以外で新設する必要があるのは、蒸気タービン、ワンウェイクラッチおよび回生に必要な機能をインバータに付加するのみであり、経済性的にさらに優位である。
【図面の簡単な説明】
【００１４】
【図１】本発明の一実施形態に係る回収廃熱を利用した集塵ファン運転システムが組み込まれた電気炉（製鋼用アーク炉）設備を示す概略構成図である。
【図２】集塵ファン運転システムを示すブロック図である。
【図３】誘導発電電動機および蒸気タービンの出力曲線を示す図である。
【図４】誘導発電電動機の特性を示す図である。
【発明を実施するための形態】
【００１５】
以下、添付図面を参照して本発明の実施形態について説明する。
図１は、本発明の一実施形態に係る回収廃熱を利用した集塵ファン運転システムが組み込まれた電気炉（製鋼用アーク炉）設備を示す概略構成図、図２は集塵ファン運転システムを示すブロック図である。この電気炉設備１０は、電気炉（製鋼用アーク炉）１を有しており、電気炉１には排気ダクト２が接続されている。排気ダクト２には電気炉１から排出された高温の排ガスが流入する。排気ダクト２には前段側の水冷ダクト４が接続され、前段側の水冷ダクト４には排ガスを燃焼させる燃焼塔３が接続され、燃焼塔３には後段側の水冷ダクト４が接続され、後段側の水冷ダクト４にはダクト５が接続されている。前段側および後段側の水冷ダクト４および燃焼塔３は廃熱ボイラー６を構成している。電気炉１の周囲には、換気用フード１１が設けられており、換気用フード１１には換気用ダクト１２が接続されている。
【００１６】
電気炉１は、炉体２１と、開閉可能な炉蓋２２と、炉蓋２２の上方から炉体２１内部に挿入される３本のアーク電極２３とを有しており、３相交流型のアーク炉を構成している。
【００１７】
燃焼塔３は、炉体２１から排出される高温の排ガスの中の一酸化炭素、白煙物質、悪臭物質などを空気導入口８から導入される空気により完全燃焼させて無害化するものであり、この際の燃焼熱により排ガスの温度はさらに上昇する。
【００１８】
廃熱ボイラー６は、排ガスの廃熱を飽和蒸気として回収するものであり、電気炉１から流出される排ガスの流路に設けられる。廃熱ボイラー６は伝熱管７を有している。
【００１９】
また、電気炉設備１０は、蒸気ドラム１３を有しており、蒸気ドラム１３には伝熱管７に冷却水（純水）を供給する供給配管１４および伝熱管７から蒸気ドラム１３に冷却水（蒸気）を返戻する返戻配管１５が接続されている。また、供給配管１４には循環水ポンプ１６が設けられている。これにより、伝熱管７に冷却水が循環供給される。蒸気ドラム１３に収容された冷却水は、循環水ポンプ１６により供給配管１４を介して伝熱管７に送られる。そして、伝熱管７に送られた冷却水は、電気炉１から発生する排ガスの顕熱および燃焼塔３で排ガスが燃焼して生じた燃焼熱により昇温されて飽和蒸気に変換され返戻配管１５を介して蒸気ドラム１３に返戻され、蒸気ドラム１３において気水分離された状態となる。蒸気ドラム１３には飽和蒸気搬送配管１７が接続されており、蒸気ドラム１３内の飽和蒸気がこの飽和蒸気搬送配管１７を介して蒸気アキュムレータ１８へ搬送される。蒸気アキュムレータ１８は、間歇運転により間歇的に発生する蒸気を一時的に貯留するためのものである。
【００２０】
ダクト５および換気用ダクト１２は、排ガス集合ダクト２４に接続されており、排ガス集合ダクト２４には、排ガスを冷却する冷却器２５と、例えばバグフィルタを有する集塵器２６と、集塵ファン２７とが接続されており、排ガス集合ダクト２４の終端には集塵器２６で除塵された排ガスを大気に放出する煙突２８が接続されている。
【００２１】
集塵ファン２７は、回収した廃熱を利用した集塵ファン運転システム３０により運転される。集塵ファン運転システム３０は、図２にも示すように、飽和蒸気搬送配管１７を搬送されてきた飽和蒸気により運転される蒸気タービン３１と、蒸気タービン３１と集塵ファン２７との間に設けられたワンウェイクラッチ（ＯＷＣ）３２と、集塵ファンを回転させる電動機の機能と、発電機の機能を有する誘導発電電動機３３と、誘導発電電動機３３に交流電力を供給する電源部３５と誘導発電電動機３３に給電される交流電力の周波数制御を行うとともに発電した電力を電源部３５に送る回生機能を有する回生機能付インバータ（ＩＮＶ）３４と、運転を制御する制御部４０とを有している。
【００２２】
制御部４０は、給電路３６に設けられたモニター部３８でモニターした電力と電力の設定値との差を出力するコントローラ４２と、コントローラ４２からの出力と蒸気タービン３１の回転数とインバータ３４の回転数に基づいて飽和蒸気搬送配管１７に設けられた流量調整バルブ３７を制御することにより蒸気タービン３１の出力制御を行うガバナ４３とを有する。なお、給電路３６の電源部３５直下位置には遮断器３９が設けられている。
【００２３】
集塵ファン２７は、誘導発電電動機３３に接続されるとともに、ワンウェイクラッチ３２を介して蒸気タービン３１にも接続されている。すなわち、ワンウェイクラッチ３２を介して、誘導発電電動機３３と集塵ファン２７と蒸気タービン３１とが一軸で接続されている。また、ワンウェイクラッチ３２は、蒸気タービン３１の回転数が集塵ファン２７の回転数以上で集塵ファン２７に接続されるようになっている。
【００２４】
回生機能付インバータ３４は、まず、誘導発電電動機３３を所定周波数で電動機として動作させて集塵ファン２７を起動させる。そして、蒸気タービン３１の出力が上昇して、逆トルクを検出した時点で周波数を低下させ、誘導発電電動機３３を発電機として動作させ、回生機能により発電された電力を電源部３５に戻す。
【００２５】
ガバナ４３はタービンの出力制御を行うとともに、ワンウェイクラッチ３２で上記一軸が接続された後、一軸の回転数制御を行う。
【００２６】
次に、このように構成される電気炉設備１０の動作を、集塵ファン運転システム３０を中心として説明する。
【００２７】
まず、電気炉１の炉体２１内に原料を装入し、アーク電極２３に通電してアーク放電により原料の溶解を開始し、必要に応じて原料の追加装入、酸素ガス吹き込みによる脱炭精錬および炭材等による成分調整等を含む精錬を行う。精錬が終了した時点で、アーク電極２３への通電を停止し、炉体２１から溶鋼を出鋼する。これにより１ヒートの操業が終了し、このような操業を繰り返し行う。
【００２８】
このような操業中、電気炉１からは、高温の排ガスが排出され、排気ダクト２、前段側の水冷ダクト４、燃焼塔３、後段側の水冷ダクト４を通過する間に、廃熱ボイラー６により廃熱が回収される。具体的には、排ガスの廃熱は廃熱ボイラー６を構成する伝熱管７において飽和蒸気に変換され、この飽和蒸気は蒸気ドラム１３、飽和蒸気搬送配管１７を経て蒸気アキュムレータ１８に貯留される。そして、蒸気アキュムレータ１８に貯留された飽和蒸気は、蒸気タービン３１に供給され、蒸気タービン３１が駆動される。
【００２９】
一方、廃熱が回収された後の排ガスは、第２の排ガス流路を構成するダクト５、排ガス集合ダクト２４に至る。また、電気炉１の周囲のダストを含んだ空気も、換気用フード１１および換気用ダクト１２を介して同じく排ガス集合ダクト２４に至る。このときの吸引力は排ガス集合ダクト２４に設けられた集塵ファン２７により与えられ、その吸引力によりダストを含んだ排ガスが、冷却器２５で冷却され集塵器２６で集塵されて煙突２８から排出される。
【００３０】
このとき、集塵ファン２７は、集塵ファン運転システム３０により、廃熱ボイラー６で廃熱を回収して得られた飽和蒸気を利用して効率的に運転される。
【００３１】
以下、集塵ファン運転システム３０による運転動作について、図３、４を参照して説明する。図３は誘導発電電動機３３および蒸気タービン３１の出力曲線を示す図であり、図４は誘導発電電動機３３の特性を示す図である。図３、４に示すように、本実施形態では集塵ファン２７の最大負荷が１５００ｋＷ、誘導発電電動機３３の最大負荷が１５００ｋＷ、蒸気タービン３１の最大負荷が３０００ｋＷの例を示している。
【００３２】
まず、電源部３５から給電された交流電力は回生機能付インバータ３４により電圧および周波数が制御されて誘導発電電動機３３に供給される。これにより誘導発電電動機３３が電動機として機能して集塵ファン２７を起動する（図３の（ａ）参照）。このとき、図４に示すように、トルクは上昇していく。これと同時に、すべりＳも１から徐々に低下していく。
【００３３】
蒸気タービン３１への通気条件が成立後、ガバナ４３による制御により、蒸気タービン３１の暖機速度まで昇速させ、蒸気タービン３１の暖機を行う。暖機完了後、再び蒸気タービン３１を昇速し、規定回転数とする。その後、蒸気タービン３１の回転数を上昇させて行き、集塵ファンの回転数より高くなった時点で、ワンウェイクラッチ３２で、誘導発電電動機３３および集塵ファン２７と、蒸気タービン３１が一軸で接続される。このとき、一軸の回転数制御を蒸気タービン３１を制御するガバナ４３で行い、回生機能付インバータ３４の回転数制御は蒸気タービンの回転数に追従させる。これは、ガバナ４３と回生機能付インバータ３４の回転数制御の互いの干渉を防ぐためである。
【００３４】
この状態で蒸気タービン３１の負荷を徐々に上昇させると、誘導発電電動機３３の負荷は徐々に低下する（図３の（ｂ）、図４の（ａ）参照））。
【００３５】
蒸気タービン３１の負荷をさらに上げて、誘導発電電動機３３の負荷である１５００ｋＷとなると誘導発電電動機３３のトルクは０となり、これを超えると逆トルクが作用するようになる（図４の（ｂ）参照）。つまり、誘導発電電動機３３は回されている状態に変化する（すべりＳ＜０）。このため、回生機能付インバータ３４により逆トルクが検出された時点で回生機能付インバータ３４により電源周波数を下げて同期速度を低下させることにより、誘導発電電動機３３は発電機として機能し、電力を発生するようになる（図３の（ｃ）参照）。
【００３６】
そして、蒸気タービン３１の負荷をさらに上昇させ、併せて電源周波数を徐々に下げて電気出力を最大にする（図３の（ｄ）、図４の（ｃ）、（ｄ））。このようにして誘導発電電動機３３を発電機として機能させて発電した電気は、回生機能付インバータ３４の回生機能により電源部３５に送電される。
【００３７】
このように本実施形態によれば、誘導発電電動機３３を電動機として機能させて起動した集塵ファン２７を、電気炉設備１０の廃熱を回収して得られた飽和蒸気により蒸気タービン３１を起動後、蒸気タービン駆動に切替え、蒸気タービン３１の負荷を増加させて集塵ファン２７の負荷を超えた時点で、誘導発電電動機３３を発電機として機能させて発電し、回生機能付インバータ３４の回生機能を利用して発電して得られた電力を電源部３５側に送電する。これにより、従来、電動機のみでまかなっていた集塵ファン２７を駆動するための負荷を、蒸気タービン３１を用いることにより廃熱を回収して得られた飽和蒸気によってまかなうことができ、しかも、蒸気タービン３１による余剰のエネルギーを発電電力として有効利用することができる。すなわち、集塵ファン２７の駆動に必要な電動機による負荷分と発電機による発電電力分の合計のメリットが得られる。
【００３８】
また、設備上も集塵ファン２７駆動用の誘導発電電動機３３は発電機を兼ねるので新たに発電機を設ける必要がなく、その分コスト低減を図ることができる。既存設備に適用する場合は、新設する必要があるのは、蒸気タービン３１、ワンウェイクラッチ３２および回生機能付インバータ３４のみであり、その点からも経済的により優位となる。また、新規設備に適用する場合は、近年集塵ファン２７の駆動方法としてインバータ駆動が主流となっているため、本来電気炉設備に備わった機器以外で新設する必要があるのは、蒸気タービン３１、ワンウェイクラッチ３２および回生に必要な機能をインバータに付加するのみであり、経済的にさらに優位となる。
【００３９】
さらに、このように誘導発電電動機３３と蒸気タービン３１の両方で集塵ファン２７を起動することが可能であるので、いずれかが故障しても集塵ファン２７を起動させることができる。
【００４０】
さらにまた、回生機能付インバータ３４を用いたので、高力率（最高９５％程度）で出力することが可能である。
【００４１】
さらにまた、蒸気アキュムレータ１８により飽和蒸気を一時貯留しておくので、間歇運転により飽和蒸気の発生が間歇的であっても蒸気タービン３１の運転を平準化することができる。
【００４２】
なお、本発明は、上記実施形態に限定されることなく、種々の変形が可能である。例えば、上記実施形態では蒸気アキュムレータを用いることにより、間歇運転される電気炉から間歇的に発生する蒸気を平準化したが、比較的均一な蒸気を発生することができれば、必須ではない。また、上記実施形態では１基の電気炉を有する電気炉設備に本発明を適用した例を示したが、複数の電気炉を有する電気炉設備に用いてもよい。このように複数の電気炉から飽和蒸気を回収することにより、より安定的に蒸気タービンに蒸気を供給することができる。
【符号の説明】
【００４３】
１；電気炉
２；排気ダクト
３；燃焼塔
４；水冷ダクト
５；ダクト
６；廃熱ボイラー
７；伝熱管
８；空気導入口
１０；電気炉設備
１１；換気用フード
１２；換気ダクト
１３；蒸気ドラム
１５；返戻配管
１６；循環水ポンプ
１７；飽和蒸気搬送配管
１８；蒸気アキュムレータ
２１；炉体
２２；炉蓋
２３；アーク電極
２４；排ガス集合ダクト
２５；冷却器
２６；集塵器
２７；集塵ファン
２８；煙突
３０；集塵ファン運転システム
３１；蒸気タービン
３２；ワンウェイクラッチ
３３；誘導発電電動機
３４；回生機能付インバータ
３５；電源部
３６；給電路
３７；流量調整バルブ
３８；モニター部
３９；遮断器
４０；制御部
４２；コントローラ
４３；ガバナ
【図１】
2012127550.tif 000003
【図２】
2012127550.tif 000004
【図３】
2012127550.tif 000005
【図４】
2012127550.tif 000006